(57)【要約】【課題】換気用のダクトの配管が容易な空気調和機を提供する。【解決手段】後方を構成するバック筐体１１０と、このバック筐体１１０の前部に取り付けられるフロント筐体１２０と、フロント筐体１２０に開閉または着脱可能に取り付けられるフロントパネル１９０とを含んで室内機１０を構成し、バック筐体１１０とフロント筐体１２０とで熱交換器５０と還流フアン６０と換気送風機２００を内蔵し、フロントパネル１９０はフロント筐体１２０の前部に形成される吸込開口部１２１を覆うように取り付けられるとともに換気吹出部１６０を備え、吸込開口部１２１は、この吸込開口部１２１を分断する中空構造の補強枠１２７を備え、換気吹出部１６０と換気送風機２００は、中空構造の補強枠１２７によって連通する。【選択図】図１
2006194547.tif 000002
【特許請求の範囲】
【請求項１】
室内空気を空調するための熱交換器及び還流フアンを横長の室内機内に配置し、外気の室内への給気及び室内空気の室外への排気を行なう換気送風機を設けた空気調和機において、
前記室内機を、この室内機の後方を構成するバック筐体と、このバック筐体の前部に取り付けられるフロント筐体と、前記フロント筐体に開閉または着脱可能に取り付けられるフロントパネルとを含んで構成し、
前記バック筐体と前記フロント筐体とで前記熱交換器と前記還流フアンと前記換気送風機を内蔵し、
前記フロントパネルは、前記フロント筐体の前部に形成される吸込開口部を覆うように取り付けられるとともに、換気吹出部を備え、
前記吸込開口部は、この吸込開口部を分断する中空構造の補強枠を備え、
前記換気吹出部と前記換気送風機は、前記中空構造の補強枠によって連通している
ことを特徴とする空気調和機。
【請求項２】
請求項１記載の空気調和機において、
前記室内機は、その上面に設けた吸込開口部を覆う吸込グリル部から室内空気を取り込んで、その下面に設けた吹出口から吹き出す構造を備え、
前記換気送風機は前記室内機の片側に配置され、
前記換気吹出部は、前記吸込グリル部と前記吹出口との間に配置されるフロントパネルのほぼ中央に配置され、
前記中空構造の補強枠は、前記吸込開口部を上下に分断する横補強枠と、前記吸込開口部を左右に分断する縦補強枠である
ことを特徴とする空気調和機。
【請求項３】
請求項１または２記載の空気調和機において、
前記換気吹出部は、吹出口を備えた回転シリンダと、この回転シリンダを回転させて前記吹出口の風向調整を可能にする駆動機構部とを備えている
ことを特徴とする空気調和機。
【請求項４】
請求項３記載の空気調和機において、
前記回転シリンダは前記フロントパネルに取り付けられ、
前記駆動機構部は前記フロント筐体に設けられ、
前記回転シリンダと前記駆動機構部は、前記フロントパネルを前記フロント筐体に取り付けた状態で動作可能に連結される
ことを特徴とする空気調和機。
【発明の詳細な説明】
【技術分野】
【０００１】
本発明は、空気調和機に係り、特に室内ユニット内にサブファンを設けて給気機能及び排気機能（以下、両者を合わせて換気機能という）を備えた空気調和機に関する。
【背景技術】
【０００２】
従来の冷凍サイクルを利用した空気調和機は、室外に設置される室外機と、室内に設置される室内機とを冷媒配管や電気配線で接続した構造を備えたものが一般的である。このような空気調和機は、室内機にて室内の空気を循環させ、室内機に備えた熱交換器を介して室内の温度や調節の調節、更には、室内機に空気清浄フイルタを備えて空気清浄としての機能を持たせている。
【０００３】
しかし、近年、密閉された室内の温度調節だけでなく、外気の新鮮な空気を取り込んだり排出したりする換気機能の要望が高まっている。従来から、換気機能を備えた室内機は提案されている。その構造は、室内機の一側部に換気装置を備えて、この換気装置に壁面を貫通する換気ダクトを接続して行うものである。
【０００４】
【特許文献１】特開２０００−２７４７２７号公報
【発明の開示】
【発明が解決しようとする課題】
【０００５】
前記従来例では、室内機の片側に配置される換気装置の前面に空気の吸排口を設けているため、この吸排口の位置が特定され、新鮮な空気と冷風又は温風が左右に分かれて吹き出される構造となっている。このため、一方が冷風で、一方が温風という左右アンバランスな送風となりがちであった。
そこで、近年、換気機能の吹出口を、冷暖房の吹出口の上方中央に配置することで、温風又は冷風と、新鮮な空気を混ざりやすくした空気調和機が提案されている。この従来例では、換気機能の吹出口を横長の室内機の中央に配置しているために、室内機の片側に配置した換気装置と前記吹出口をダクトで連結する必要がある。このため、このダクトが熱交換器の前面を塞いで熱損失を起こさないようにしたり、あるいは、前記ダクトの取り付けの手間、あるいは、室内機の大型化などの対策を取らなければならないなどの課題があった。
そこで、この発明の目的とするところは、換気用のダクトの配管が容易な空気調和機を提供することにある。
【課題を解決するための手段】
【０００６】
本発明に係る空気調和機は、前記目的を達成するために、室内空気を空調するための熱交換器及び還流フアンを横長の室内機内に配置し、外気の室内への給気及び室内空気の室外への排気を行なう換気送風機を設けた空気調和機において、前記室内機を、この室内機の後方を構成するバック筐体と、このバック筐体の前部に取り付けられるフロント筐体と、前記フロント筐体に開閉または着脱可能に取り付けられるフロントパネルとを含んで構成し、前記バック筐体と前記フロント筐体とで前記熱交換器と前記還流フアンと前記換気送風機を内蔵し、前記フロントパネルは、前記フロント筐体の前部に形成される吸込開口部を覆うように取り付けられるとともに、換気吹出部を備え、前記吸込開口部は、この吸込開口部を分断する中空構造の補強枠を備え、前記換気吹出部と前記換気送風機は、前記中空構造の補強枠によって連通するようにする。
【発明の効果】
【０００７】
本発明によれば、換気用のダクトを本体フロント筐体の補強材と兼用しているので、新たにダクトを配管する必要が無いので、組立性や装置の大型化を軽減することができる。
【発明を実施するための最良の形態】
【０００８】
以下、図１から図９を参照して、本発明に係る空気調和機を詳細に説明する。ここで、図１から図７が、第1の実施の形態に係る空気調和機であり、図８、図９が他の実施の形態に係る空気調和機を示している。なお、同一部位や矢印などは同一符号をもって示し重複した説明を省略する。
【０００９】
（第１の実施の形態）
図１から図７は、第１の実施の形態に係る空気調和機である。図１は本発明に係る空気調和機の室内機の概略構造図である。図２は空気調和機の室内機の外観図であり、（ａ）図が平面図、（ｂ）が正面図、図２（ｃ）が右側面図、（ｄ）が底面図でる。図３は、室内機の中央縦断面図である。図４は、換気装置の装置構造を示す概念図である。図５は換気装置の運転モードに対応した動作概念図である。図６は、換気吹出部の構造図である。図７は換気吹出部の動作概念図である。
【００１０】
先ず、図１を参照して、この実施の形態に係る空気調和機の概略構造を説明する。符号１で総括的に示すのは空気調和機であり、室内の壁面２２の上方に設置される室内機１０と、室外に設置される図示しない室外機と、前記室内機１０と前記室外機との間を連結する電気信号線２０と、前記室内機１０と接続される換気ダクト２１と、赤外線信号を介してこの空気調和機を遠隔操作する図示しないリモコンを含んで構成される。ここで、換気ダクト２１は、壁面２２に開口した貫通穴から電気信号線２０とともに室外に引き出され、その端部に防虫ネットなどが取り付けられて外気の吸気や排気を行うものである。
前記室内機１０は、横長の外観を備え、その内部に、熱交換器５０と還流フアン６０と電装品箱７０と換気装置２００とを備えた筐体１００と、この筐体１００の前部を覆うフロントパネル１９０とから構成される。
前記筐体１００は、この筐体１００の後方を構成するバック筐体１１０と、この筐体１００の前方にねじなどを介して取り付けられるフロント筐体１２０とから構成される。前記フロント筐体１２０は、上部から前面にかけて大きく開口した吸込開口部１２１を有し、底面前方には吹出口１２２が設けられている。そして、その内部に、前記吸込開口部１２１と前記吹出口１２２とを連通する冷暖房空気通路（第1通風路）１２３を形成している。この冷暖房空気通風路１２３には、前記吸込開口部１２１を塞ぐように前記熱交換器５０が設けられ、この熱交換器５０と前記吹出口１２２との間に前記還流フアン６０が配置される。
【００１１】
また、前記吸込開口部１２１は、上部に吸込グリル部１２４が取り付けられ、前部には開閉又は取り外し可能な前記フロントパネル１９０が取り付けられている。一方、吹出口１２２には、上下方向に風向を調整する吹出横ルーバ１２５が取り付けられる。
したがって、この室内機１０によれば、筐体１００の上部に設けた吸込グリル部１２４から室内空気を取り込んで、この取り込んだ室内空気を前記吸込開口部１２１を塞ぐように配置した熱交換器５０によって冷風または温風に熱交換し、前記吹出口１２２に設けた吹出横ルーバ１２５を介して任意の方向に吹き出すことができる。
【００１２】
一方、前記熱交換器５０の一方の片側には前記換気装置２００が設けられ、他方の片側には電気品箱７０が設けられている。前記換気装置２００には、送風機２０１が設けられており、前記換気ダクト２１が接続される。前記電気品箱７０には、この空気調和機１を統括的に制御する図示しないマイコンや各種の電装品が配置される。
そして、この実施の形態に係る空気調和機１の特徴の１つは、前記吸込グルリ部１２４と吹出部１２２との間に換気用吹出部１６０を配置し、この換気用吹出部１６０と前記換気装置２００とを結ぶ換気通路（第２通風路）１２６を前記吸込開口部１２１に形成される補強部材１２７に形成した点にある。
【００１３】
即ち、本発案者達は、大きく開口した前記吸込開口部１２１を補強するために設けられている補強部材１２７に着目し、この補強部材１２７に換気通路１２６としての機能を持たせることを発案した。この補強部材１２７は、少なくとも、上下と左右にそれぞれ分割する太い縦枠１２７ａと横枠１２７ｂが必要である。前記太い横枠１２７ｂは、筐体１００の上部から前部にかけて大きく開口した前記吸込開口部１２１を補強するためや、前記吸込グリル部１２４を取り付けるために必要である。また、前記太い縦枠１２７ａは左右に長い前記吸込開口部１２１を補強するためや、フイルタ５５を取り付けれるために必要なものである。
【００１４】
この実施の形態では、この太い縦枠１２７ａと太い横枠１２７ｂをそれぞれ中空構造とし、この中空構造を利用して換気通路１２６としている。この換気通路１２６によれば、新たに通路を形成することなく、筐体１００の片側に配置される換気装置２００と、筐体１００の正面中央に配置される換気吹出部１６０とを連結することができる。したがって、この実施の形態によれば、前記吸込開口部１２１を新たな換気通路により塞ぐことにる吸込開口率を低減させること無く、離れた場所へ新鮮な空気を供給することができる。
特に、前記太い縦枠１２７ａを換気通路１２６として利用することにより、左右対称なフイルタ５５の利用や前記吸込開口部１２１の中央で補強する点を維持しながら前記吸込開口部１２１を筐体１００の中央に配置することができるので、新鮮な外気の吹き出しや空気循環を室内の中央で効率よく行なうことができる。
【００１５】
また、この実施の形態では、フロント筐体１２０を樹脂成型品で形成しているために、太い縦枠１２７ａと太い横枠１２７ｂとを中空構造とすると成型が難しくなる。そこで、この実施の形態では、前記補強部材１２７の前面に溝１２８を形成し、この溝１２８の前面に蓋１２９ａ、１２９ｂを取り付けることで、成型や組立効率を向上させている。
【００１６】
また、この実施の形態の他の特徴は、前記換気吹出部１６０に換気吹出口１６１を備えた回転シリンダ１６２を設けた点にある。この特徴によれば、運転モードに対応して新鮮な外気の吹き出す方向を調節して効率的な運転を行ったり、あるいは、停止時には換気吹出口１６１を封鎖して意匠性を向上し塵埃侵入や付着を軽減することができる。
【００１７】
以下、図２から図７を参照して更に詳細に説明する。
先ず、図２を参照して、この実施の形態に係る室内機１０の外観構造を説明する。前記したように、室内機１０は、奥行寸法より高さ寸法が大きく、また、高さ寸法より横幅寸法が大きい横姿勢の角柱形状を基本している。（ｃ）図の側面形状から明らかなように、前記バック筐体１１０の上下面は略水平であるが、前記フロント筐体１２０の上下面は前方に向かって先が細くなっている。そして、(ａ)図に示すように、フロント筐体１２０の上部の傾斜面とバック筐体の上面に吸込開口部１２１が形成され、これを覆うように前記吸込グリル部１２４が取り付けられている。また、（ｄ）図に示すように、前記フロント筐体１２０の下面の傾斜面には、吹出横ルーバ１２５を備えた吹出口１２２が設けられている。
【００１８】
一方、（ｂ）図に示す正面中央には、パネル面で形成されるフロントパネル１９０が設けられている。このフロントパネル１９０は周囲より中央部分が前方に張り出して形成され、その張り出した張出面１９２の周囲にもサブ吸込部１９１が設けられている。そして、この室内機１０の特徴的なところは、張出面１９２の中央の下方に横長短冊状の換気用吹出部１６０を配置した点にある。
この換気用吹出部１６０は、中心軸を筐体１００の長手方向と一致させた円柱形状の回転シリンダ１６２が回転可能に取り付けられている。この回転シリンダ１６２には換気吹出口１６１が設けられている。
【００１９】
次に、図３を参照して、室内機１０の内部構造を説明する。この実施の形態では、冷暖房空気通路１２３を、筐体１００の後方を覆うバック筐体１１０と、前方を覆うフロント筐体１２０とで構成する。前記還流フアン６０はこの冷暖房空気通路１２３の中央のやや下方に配置され、その前後には、フロント筐体１２０に設けられる前部ドレン皿１３０aと、バック筐体１１０に設けられる後部ドレン皿１３０ｂが形成される。このため、前記冷暖房空気通路１２３は還流フアン６０にて上部の上部空気通路１２３ａと下部の下部空気通路１２３ｂに分割される。これにより、前記還流フアン６０を回転させることにより、前記上部空気通路１２３ａ内の空気が下部空気通路１２３ｂ内に取り込まれる。
前記上部空気通路１２３ａには、還流フアン６０を包み込むよう複数の熱交換部を山形に組み合わせた熱交換器５０が配置され、山形の裾野となる熱交換器５０の前後の下端部が前記前部ドレン皿１３０aと後部ドレン皿１３０ｂに位置するように取り付けられている。そして、この熱交換器５０で覆うわれた筐体１００の上面から正面にかけて大きく開口した吸込開口部１２１が形成される。この実施の形態では、吸込開口部１２１の前方側（図面上の左側）をフロントパネル１９０で覆っているので、室内空気は、筐体１００の上面に大きく開口した吸込グリル部１２４の部分から筐体１００内に取り込まれる。
【００２０】
一方、前記下部空気通路１２３ｂには、前記還流フアン６０から斜め前方に吹き出されるように、前部ドレン皿１３０aとバック筐体１１０の内面にガイド手段が形成される。そして、下部空気通路１２３ｂの下端部となる吹出口１２２には吹出横ルーバ１２５が図示しない駆動モータにて開閉可能に取り付けられる。また、この吹出横ルーバ１２５の内側には、左右方向の風向を変更するための複数の縦フイン１３１が図示しない駆動モータにて動作可能に設けられる。これらの吹出横ルーバ１２５と縦フイン１３１は前記マイコンの制御に基づいて運転モードに対応した動作をする。
【００２１】
さて、この図３は前記太い縦枠１２７ａを分断する断面を示している。この実施の形態では、吸込開口部１２１を左右に等分する位置に太い縦枠１２７ａを形成している。この縦枠１２７ａは、前方（外側）に溝１２８が形成され、この溝１２８を覆うように蓋１２９ａが取り付けられる。太い縦枠１２７ａと蓋１２９ａは、例えば、互いに嵌め合う爪部及び受け部（図示しない）等の構造を有し、これらの気密性を保ちながら互いに嵌め合うことにより実現される。
また、この実施の形態では、太い縦枠１２７ａの下方を中空構造とし、上部は前記吸込グリル部１２４を保持したり、あるいは、その両側にフイルタ５５を保持するためのレール１３３が形成されるため中空構造としていない。
太い縦枠１２７ａの中空構造の上端には、同様な中空構造を備えた太い横枠１２７ｂが連結される。このため、太い横枠１２７ｂと蓋１２９ｂとで形成される水平方向の換気通路１２６と、太い縦枠１２７ａと蓋１２９ａとで形成される垂直方向の換気通路１２６とが、太い縦枠１２７ａと太い横枠１２７ｂとの交点Ｐで連通する。
【００２２】
一方、太い縦枠１２７ａの中空構造の下端には回転シリンダ１６２と連結するシリンダ連結部１３２とシリンダ駆動部１３４が設けられる。ここで、回転シリンダ１６２は、前記フロントパネル１９０には回転シリンダ１６２を保持するシリンダ取付部１６３が設けられている。このため、回転シリンダ１６２は、張出面１９２に形成される開口部１６４から回転シリンダ１６２の一部を露出するように回転可能に取り付けられる。
したがって、この実施の形態では、前記フロントパネル１９０が前記フロント筐体１２０に取り付けられた状態で、回転シリンダ１６２とシリンダ連結部１３２とが連結することができる。つまり、この実施の形態では、フロント筐体１２０側に設けられるシリンダ連結部１３２とシリンダ駆動部１３４と、フロントパネル１９０側に設けられる回転シリンダ１６２とシリンダ取付部１６３と開口部１６４とで換気用吹出部１６０を構成する。
【００２３】
次に、図４と図５を参照して、換気装置２００と換気用吹出部１６０及び換気通路１２６との関係をさらに詳細に説明する。
図４において、この実施の形態では、前記換気装置２００をターボフアンと駆動モータからなる送風機２０１と、この送風送風機２０１の吸気口２０２に第１ダンパ２０８が設けられ、前記送風送風機２０１の排気口２０５に第２ダンパ２０９が設けられる。また、前記送風送風機２０１の吸気口２０２には室内吸気通路２０３と室外吸気通路２０４とが接続され、前記第１ダンパ２０８により室内吸気通路２０３と室外吸気通路２０４が切り換えられる。
【００２４】
一方、前記送風機２０１の排気口２０５には室内排気通路２０６と室外排気通路２０７とが接続され、第２ダンパ２０９により室内排気通路２０６と室外排気通路２０７が切り換えられる。
この実施の形態では、前記送風機２０１は同一方向の回転を行うので、前記２つのダンパを切り換えることにより、外気を吸排気したり、室内の空気を縦貫させることができる。ここで、前記室内吸気通路２０３に室内フイルタ２１０、室外吸気通路２０４に空気清浄フイルタ２１１、室外排気通路２０７に防虫ネット２１２がそれぞれ設けられる。そして、前記室外吸気通路２０４の他端と室外排気通路２０７他端とは一つに連結されて前記換気ダクト２１と連通され、室内吸気通路２０３の他端は筐体１００の室内側に開口され、室内排気通路２０６の他端に前記換気通路１２６に連通される。
【００２５】
前記換気通路１２６の他端には換気用吹出部１６０が取り付けられる。換気用吹出部１６０は、フロント筐体１２０側に設けられるシリンダ連結部１３２とシリンダ駆動部１３４と、フロントパネル１９０側に設けられる回転シリンダ１６２とシリンダ取付部１６３と開口部１６４とで構成される。
回転シリンダ１６２はシリンダ取付部１６３に回転軸１６５を介して回転可能に取り付けられる。この回転軸１６５には、シリンダ駆動部１３４の回転ローラ１３４ａと噛み合うシリンダローラ１６２ａが設けられ、前記シリンダ駆動部１３４の駆動モータ１３４ｂが回転することにより、その回転が前記回転ローラ１３４ａとシリンダローラ１６２ａとの噛み合い（接触）で伝達され、前記回転シリンダ１６２を回転させることができる。
回転シリンダ１６２は、シリンダ連結部１３２との連結により、前記換気通路１２６から供給される外気または室内空気を、この回転する回転シリンダ１６２の換気吹出口１６１から任意の角度に吹き出すことができる。
【００２６】
図５において、この実施の形態に係る換気装置２００は、前記２つのダンパを切り換えることによって、多様な運転モードに対応することができる。（ａ）図は室内循環モード、（ｂ）図は排気モード、（ｃ）図は吸気モード、（ｄ）図は停止モードのそれぞれの状態を示している。
先ず、(ａ)図の室内換気モードでは、第１ダンパ２０８により吸気口２０２に室内吸気通路２０３を接続し、第２ダンパ２０９により排気口２０５に室内排気通路２０６を接続する。これにより、室内空気は室内フイルタ２１０を介して室内吸気通路２０３から送風機２０１に取り込まれ、室内排気通路２０６から換気通路１２６を経て換気用吹出部１６０から吹き出すことができる。
（ｂ）図の排気モードでは、第１ダンパ２０８により吸気口２０２に室内吸気通路２０３を接続し、第２ダンパ２０９により排気口２０５に室外排気通路２０７を接続する。これにより、室内空気は室内フイルタ２１０を介して室内吸気通路２０３から送風機２０１に取り込まれ、室外排気通路２０７から防虫ネット２１２を経て換気ダクト２１を介して屋外に排出される。
（ｃ）図の吸気モードでは、第１ダンパ２０８により吸気口２０２に室外吸気通路２０４を接続し、第２ダンパ２０９により排気口２０５に室内排気通路２０６を接続する。これにより、換気ダクト２１から室外吸気通路２０４の空気清浄フイルタ２１１で塵埃などが除去されて送風機２０１に取り込まれ、室内排気通路２０６から換気通路１２６を経て換気用吹出部１６０から吹き出すことができる。
（d）図の停止モードでは、第１ダンパ２０８は室内吸気通路２０３を封鎖し、第２ダンパ２０９は室内排気通路２０６を封鎖するので、室内と連通する通路が封鎖されるから室内を密閉することができる。
【００２７】
次に、図６、図７を参照して、換気用吹出部１６０の運転動作に対応した動作を詳細に説明する。図６において、（ａ）図はフロントパネル１９０を開放した状態の概略断面図、（ｂ）図はフロントパネル１９０を閉じた状態の概略断面図である。図７において、（ａ）図は冷房時、（ｂ）図は暖房時、（ｃ）図はサーキュレーション時、（ｄ）図は停止状態の回転シリンダ１６２の断面図である。
先ず、図６の（ａ）図において、この実施の形態では、フイルタ５５や熱交換器５０あるいはフロントパネル１９０の清掃を簡単に行うために、前記フロントパネル１９０をパネル開閉機構部１９３を介して筐体１００に開閉可能に取り付けている。このパネル開閉機構部１９３は、フロントパネル１９０の上端に取り付けられているので、フロントパネル１９０を開放可能に取り付けている。このため、この実施の形態では、シリンダ駆動部１３４を筐体１００側に設けることで、フロントパネル１９０を取り外してもシリンダ駆動部１３４を取り外すことが無いので清掃性が良好である。
【００２８】
一方、図６の（ｂ）図に示すように、フロントパネル１９０を閉じた状態では、前記シリンダ連結部１３２と回転シリンダ１６２とが空気が漏れることなく連通されるので、通風性能を損なうことが無い。更には、この（ｂ）図の状態では、回転シリンダ１６２がシリンダ駆動部１３４と動作が伝達可能に連結されるので、回転シリンダ１６２の回転性能に支障をきたすことない。
ここで、回転シリンダ１６２は、所定の角度だけ動作可能となっており、前記マイコンは、この回転シリンダ１６２を動作させるにあたり、一方の方向に回転させて停止する位置をホームポジションとして、位置決めを行って、図７に示すような運転モードに対応した角度に回転シリンダ１６２を回転させる。この運転モードに対応したシリンダ駆動部１３４の動作を図７で更に説明する。
【００２９】
図７において、換気機能を併用した運転指令がリモコンから成されるとマイコンは前記シリンダ駆動部１３４に動作指示信号を出して以下の動作を行う。ここでは、前記換気装置２００の動作については省略する。
（ａ）図において、冷房の信号が成されると、前記シリンダ駆動部１３４を動作させて回転シリンダ１６２の換気吹出口１６１が水平と成るように回転シリンダ１６２を回転させて、吹出口１２２から吹き出される冷風と、この換気吹出口１６１から吹き出されるやや暖かい空気を混合させて遠方に空気を吹きつけるようにする。
（ｂ）図において、暖房または空気清浄の信号が成されると、前記シリンダ駆動部１３４を動作させて回転シリンダ１６２の換気吹出口１６１が下方と成るように回転シリンダ１６２を回転させて、この換気吹出口１６１から吹き出されるやや冷たい空気で吹出口１２２から吹き出される温風を上方から押さえつけるように吹き出させる。
（ｃ）図において、サーキュレーションの信号がなされると、前記シリンダ駆動部１３４を動作させて回転シリンダ１６２の換気吹出口１６１が上方と成るように回転シリンダ１６２を回転させて、この換気吹出口１６１から吹き出される空気で室内の上方にたまった温かい空気を拡散させるようにする。
（ｄ）図において、停止の信号がなされると、前記シリンダ駆動部１３４を動作させて回転シリンダ１６２の換気吹出口１６１を塞ぐように回転シリンダ１６２を回転させて、この換気吹出口１６１に塵埃などが付着しないようにする。
【００３０】
このように、この実施の形態では、運転モードに対応して回転シリンダ１６２が対応を変化させるので、主体となる冷暖房の運転効率を向上させることができるとともに、利用者に運転モードの状態を視覚的に認識させることができる。
なお、この実施の形態では、前記換気吹出口１６１の断面形状が先細りの形状となっているので、換気吹出口１６１から吹き出される空気の流速を速くすることができる。
(他の実施の形態)
次に、図８、図９を参照して、他の実施の形態を説明する。図８は換気通路１２６を構成する蓋１２９ａ、１２９ｂの他の構造を示す断面図である。図９は換気用吹出部１６０の他の配置を説明する配置図である。
【００３１】
図８において、この実施の形態の特徴は、前記換気用吹出部１６０を構成する１２９ａ、１２９ｂをフロントパネル１９０に設けた点にある。この実施の形態によれば、フロントパネル１９０を開放した状態では溝１２８を露出することができるので、換気通路１２６の清掃が良好となる。一方、フロントパネル１９０を閉めた状態では、蓋１２９ａ、１２９ｂが溝１２８を塞いで換気通路１２６を構成するので、換気用吹出部１６０の機能に支障をきたすことがない。
【００３２】
図９において、前記図１から図８で説明した実施の形態では、換気用吹出部１６０を正面中央やや下方よりに設けた実施の形態で説明したが、この実施の形態によれば、これに限定されるものではない。例えば、太い横枠１２７ｂ全体を中空構造とすれば、換気装置２００と対向する反対側に換気用吹出部１６０を設けることができる。また、前記実施の形態では、吸込開口部１２１を上下に分割する太い横枠１２７ｂを中空構造としたが、例えば、この太い横枠１２７ｂや太い縦枠１２７ａに加えて、換気用吹出部１６０を取り囲むような枠１２７ｃを形成して、この枠１２７ｃを中空構造として換気通路１２６とすれば、筐体１００の任意の位置に換気用吹出部１６０を配置することができる。
【図面の簡単な説明】
【００３３】
【図１】第１の実施の形態に係る空気調和機の概略構造図である。
【図２】第１の実施の形態に係る室内機の外観図であある。
【図３】第１の実施の形態に係る空気調和機の換気装置の運転モードに対応した動作概念図である。
【図４】第１の実施の形態に係る室内機の換気吹出部の構造図である。
【図５】第１の実施の形態に係る空室内機の換気装置の運転モードに対応した動作概念図である。
【図６】第１の実施の形態に係る室内機の換気吹出部の構造図である。
【図７】第１の実施の形態に係る室内機の換気吹出部の動作概念図である。
【図８】他の実施の形態に係る室内機の断面図である。
【図９】他の実施の形態に係る室内機の正面図である。
【符号の説明】
【００３４】
１…空気調和機、１０…室内機、２０…電気信号線、２１…換気ダクト、２２…壁面、５０…熱交換器、５５…フイルタ、６０…還流フアン、７０…電装品箱、１００…筐体、１１０…バック筐体、１２０…フロント筐体、１２１…吸込開口部、１２３ｂ…吹出口１２２、…冷暖房空気通路（第1通風路）１２３、…上部空気通路１２３ａ、…下部空気通路、１２４…吸込グリル部、１２５…吹出横ルーバ、１２６…換気通路、１２７…補強部材、１２７ａ…太い縦枠、１２７ｂ…太い横枠、１２７ｃ…枠、１２８…溝、１２９ａ、１２９ｂ…蓋、１３０a…前部ドレン皿、１３０ｂ…後部ドレン皿、１３１…縦フイン、１３２…シリンダ連結部、１３３…レール、１３４…シリンダ駆動部、１３４ａ…回転ローラ、１３４ｂ…駆動モータ、１６０…換気用吹出部、１６１…換気吹出口、１６２…回転シリンダ、１６２ａ…シリンダローラ、１６３…シリンダ取付部、１６４…開口部、１６５…回転軸、１９０…フロントパネル、１９１…サブ吸込部、１９２…張出面、１９３…パネル開閉機構部、２００…換気装置、２０１…送風機、２０２…吸気口、２０３…室内吸気通路、２０４…室外吸気通路、２０５…排気口、２０６…室内排気通路、２０７…室外排気通路、２０８…第１ダンパ、２０９…第２ダンパ、２１０…室内フイルタ、２１１…空気清浄フイルタ、２１２…防虫ネット、Ｐ…交点。
【図１】
2006194547.tif 000003
【図２】
2006194547.tif 000004
【図３】
2006194547.tif 000005
【図４】
2006194547.tif 000006
【図５】
2006194547.tif 000007
【図６】
2006194547.tif 000008
【図７】
2006194547.tif 000009
【図８】
2006194547.tif 000010
【図９】
2006194547.tif 000011